【手続補正書】
【提出日】平成20年3月6日(2008.3.6)
【手続補正１】
【補正対象書類名】明細書
【補正対象項目名】特許請求の範囲
【補正方法】変更
【補正の内容】
【特許請求の範囲】
【請求項１】  光源手段と、前記光源手段から出射した光束を偏向手段の偏向面に入射させる入射光学系と、前記偏向手段の偏向面で偏向された光束を被走査面上に結像させる結像光学系と、を有する光走査光学系において、
主走査断面内において、前記入射光学系から出射した光束は、前記被走査面の法線に対して傾め方向から前記偏向面に入射しており、
前記結像光学系は少なくとも１枚の結像光学素子を有し、
主走査断面内において、前記結像光学素子の主走査方向の対称軸は、前記光源手段側の結像光学素子の端部が前記偏向手段から遠ざかるように前記被走査面の法線に対して傾いて配置されていることを特徴とする光走査光学系。
【請求項２】  前記結像光学系は、２枚の結像光学素子からなり、前記２枚の結像光学素子は、レンズであることを特徴とする請求項１に記載の光走査光学系。
【請求項３】  前記結像光学系を構成する２枚のレンズのうち、前記被走査面側に配置されたレンズの副走査断面内における屈折力は、前記偏向手段側に配置されたレンズの副走査断面内における屈折力よりも大きく、
前記被走査面側に配置されたレンズの主走査方向の対称軸は、前記光源手段側のレンズの端部が前記偏向手段から遠ざかるように前記被走査面の法線に対して傾いて配置されていることを特徴とする請求項２に記載の光走査光学系。
【請求項４】  前記結像光学系を構成する２枚のレンズは、前記偏向手段側から順に第１のトーリックレンズ、第２のトーリックレンズであり、
主走査断面内において、前記第１のトーリックレンズは、少なくとも１つのレンズ面が非球面形状であり、
主走査断面内において、前記第１のトーリックレンズは、主走査方向の対称軸上で前記偏向手段側に凹面を向けた正の屈折力を有するメニスカス状より成り、
主走査断面内において、前記第２のトーリックレンズの偏向手段側のレンズ面及び被走査面側のレンズ面が非球面形状であり、
主走査断面内において、前記第２のトーリックレンズは、主走査方向の対称軸上で前記偏向手段側に凸面を向けた正の屈折力を有するメニスカス状より成ることを特徴とする請求項３に記載の光走査光学系。
【請求項５】  副走査断面内において、前記第１のトーリックレンズ及び第２のトーリックレンズは、前記偏向手段に凹面を向けたメニスカス状より成ることを特徴とする請求項４に記載の光走査光学系。
【請求項６】  主走査断面内において、前記第２のトーリックレンズの偏向手段側のレンズ面及び被走査面側のレンズ面の曲率が、そのレンズの主走査方向の対称軸からレンズ周辺部にいくに従って連続的に変化しており、かつ、前記第２のトーリックレンズの偏向手段側のレンズ面及び被走査面側のレンズ面の曲率が前記対称軸と前記レンズ周辺部の間でその曲率の符号が反転していることを特徴とする請求項４又は５に記載の光走査光学系。
【請求項７】  前記第１のトーリックレンズの副走査断面内の屈折力は、そのレンズの主走査方向の対称軸からレンズ周辺部にいくに従って強くなり、前記第２のトーリックレンズの副走査断面内の屈折力は、そのレンズの主走査方向の対称軸からレンズ周辺部にいくに従って弱くなっていることを特徴とする請求項４乃至６のいずれか１項に記載の光走査光学系。
【請求項８】  前記第１のトーリックレンズの主走査方向の対称軸における副走査断面内の屈折力をφ１ｓ、前記第２のトーリックレンズの主走査方向の対称軸における副走査断面内の屈折力をφ２sとしたとき、
【数１】
2001343602.tif 000001
なる条件を満足することを特徴とする請求項４乃至７のいずれか１項に記載の光走査光学系。
【請求項９】  前記第１のトーリックレンズの主走査方向の対称軸における主走査断面内の屈折力をφ１m、前記第２のトーリックレンズの主走査方向の対称軸における主走査断面内の屈折力をφ２mとしたとき、
【数２】
2001343602.tif 000002
なる条件を満足することを特徴とする請求項４乃至８のいずれか１項に記載の光走査光学系。
【請求項１０】  副走査断面内において、前記結像光学系は、前記偏向手段の偏向面と前記被走査面とを共役な関係としており、
前記結像光学系の主走査方向の対称軸における副走査断面の結像倍率をβcとしたとき、
１．５≦βc≦４．０
なる条件を満足することを特徴とする請求項１乃至９のいずれか１項に記載の光走査光学系。
【請求項１１】  請求項１乃至１０のいずれか１項に記載の光走査光学系と、前記被走査面に配置された感光体と、前記光走査光学系で走査されたレーザ光によって前記感光体の上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項１２】  請求項１乃至１０のいずれか１項に記載の光走査光学系と、外部機器から入力したコードデータを画像信号に変換して前記光走査光学系に入力せしめるプリンタコントローラとを有していることを特徴とする画像形成装置。
【手続補正２】
【補正対象書類名】明細書
【補正対象項目名】００１１
【補正方法】変更
【補正の内容】
【００１１】
【課題を解決するための手段】
請求項１の発明の光走査光学系は、光源手段と、前記光源手段から出射した光束を偏向手段の偏向面に入射させる入射光学系と、前記偏向手段の偏向面で偏向された光束を被走査面上に結像させる結像光学系と、を有する光走査光学系において、
主走査断面内において、前記入射光学系から出射した光束は、前記被走査面の法線に対して傾め方向から前記偏向面に入射しており、
前記結像光学系は少なくとも１枚の結像光学素子を有し、
主走査断面内において、前記結像光学素子の主走査方向の対称軸は、前記光源手段側の結像光学素子の端部が前記偏向手段から遠ざかるように前記被走査面の法線に対して傾いて配置されていることを特徴としている。
【手続補正３】
【補正対象書類名】明細書
【補正対象項目名】００１２
【補正方法】変更
【補正の内容】
【００１２】
請求項２の発明は請求項１の発明において、前記結像光学系は、２枚の結像光学素子からなり、前記２枚の結像光学素子は、レンズであることを特徴としている。
【手続補正４】
【補正対象書類名】明細書
【補正対象項目名】００１３
【補正方法】変更
【補正の内容】
【００１３】
請求項３の発明は請求項２の発明において、前記結像光学系を構成する２枚のレンズのうち、前記被走査面側に配置されたレンズの副走査断面内における屈折力は、前記偏向手段側に配置されたレンズの副走査断面内における屈折力よりも大きく、
前記被走査面側に配置されたレンズの主走査方向の対称軸は、前記光源手段側のレンズの端部が前記偏向手段から遠ざかるように前記被走査面の法線に対して傾いて配置されていることを特徴としている。
【手続補正５】
【補正対象書類名】明細書
【補正対象項目名】００１４
【補正方法】変更
【補正の内容】
【００１４】
請求項４の発明は請求項３の発明において、前記結像光学系を構成する２枚のレンズは、前記偏向手段側から順に第１のトーリックレンズ、第２のトーリックレンズであり、
主走査断面内において、前記第１のトーリックレンズは、少なくとも１つのレンズ面が非球面形状であり、
主走査断面内において、前記第１のトーリックレンズは、主走査方向の対称軸上で前記偏向手段側に凹面を向けた正の屈折力を有するメニスカス状より成り、
主走査断面内において、前記第２のトーリックレンズの偏向手段側のレンズ面及び被走査面側のレンズ面が非球面形状であり、
主走査断面内において、前記第２のトーリックレンズは、主走査方向の対称軸上で前記偏向手段側に凸面を向けた正の屈折力を有するメニスカス状より成ることを特徴としている。
【手続補正６】
【補正対象書類名】明細書
【補正対象項目名】００１５
【補正方法】変更
【補正の内容】
【００１５】
請求項５の発明は請求項４の発明において、副走査断面内において、前記第１のトーリックレンズ及び第２のトーリックレンズは、前記偏向手段に凹面を向けたメニスカス状より成ることを特徴としている。
【手続補正７】
【補正対象書類名】明細書
【補正対象項目名】００１６
【補正方法】変更
【補正の内容】
【００１６】
請求項６の発明は請求項４又は５の発明において、主走査断面内において、前記第２のトーリックレンズの偏向手段側のレンズ面及び被走査面側のレンズ面の曲率が、そのレンズの主走査方向の対称軸からレンズ周辺部にいくに従って連続的に変化しており、かつ、前記第２のトーリックレンズの偏向手段側のレンズ面及び被走査面側のレンズ面の曲率が前記対称軸と前記レンズ周辺部の間でその曲率の符号が反転していることを特徴としている。
【手続補正８】
【補正対象書類名】明細書
【補正対象項目名】００１７
【補正方法】変更
【補正の内容】
【００１７】
請求項７の発明は請求項４乃至６のいずれか１項の発明において、前記第１のトーリックレンズの副走査断面内の屈折力は、そのレンズの主走査方向の対称軸からレンズ周辺部にいくに従って強くなり、前記第２のトーリックレンズの副走査断面内の屈折力は、そのレンズの主走査方向の対称軸からレンズ周辺部にいくに従って弱くなっていることを特徴としている。
【手続補正９】
【補正対象書類名】明細書
【補正対象項目名】００１８
【補正方法】変更
【補正の内容】
【００１８】
請求項８の発明は請求項４乃至７のいずれか１項の発明において、前記第１のトーリックレンズの主走査方向の対称軸における副走査断面内の屈折力をφ１ｓ、前記第２のトーリックレンズの主走査方向の対称軸における副走査断面内の屈折力をφ２ｓとしたとき、
【数３】
2001343602.tif 000003
なる条件を満足することを特徴としている。
【手続補正１０】
【補正対象書類名】明細書
【補正対象項目名】００１９
【補正方法】変更
【補正の内容】
【００１９】
請求項９の発明は請求項４乃至８のいずれか１項の発明において、前記第１のトーリックレンズの主走査方向の対称軸における主走査断面内の屈折力をφ１m、前記第２のトーリックレンズの主走査方向の対称軸における主走査断面内の屈折力をφ２mとしたとき、
【数４】
2001343602.tif 000004
なる条件を満足することを特徴としている。
【手続補正１１】
【補正対象書類名】明細書
【補正対象項目名】００２０
【補正方法】変更
【補正の内容】
【００２０】
請求項１０の発明は請求項１乃至９のいずれか１項の発明において、副走査断面内において、前記結像光学系は、前記偏向手段の偏向面と前記被走査面とを共役な関係としており、
前記結像光学系の主走査方向の対称軸における副走査断面の結像倍率をβcとしたとき、
１．５≦βc≦４．０
なる条件を満足することを特徴としている。
【手続補正１２】
【補正対象書類名】明細書
【補正対象項目名】００２１
【補正方法】変更
【補正の内容】
【００２１】
請求項１１の発明の画像形成装置は、請求項１乃至１０のいずれか１項に記載の光走査光学系と、前記被走査面に配置された感光体と、前記光走査光学系で走査されたレーザ光によって前記感光体の上に形成された静電潜像をトナー像として現像する現像器と、現像されたトナー像を被転写材に転写する転写手段と、転写されたトナー像を被転写材に定着させる定着器とを有することを特徴としている。
【手続補正１３】
【補正対象書類名】明細書
【補正対象項目名】００２２
【補正方法】変更
【補正の内容】
【００２２】
請求項１２の発明の画像形成装置は、請求項１乃至１０のいずれか１項に記載の光走査光学系と、外部機器から入力したコードデータを画像信号に変換して前記光走査光学系に入力せしめるプリンタコントローラとを有していることを特徴としている。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００４４
【補正方法】変更
【補正の内容】
【００４４】
９は集光機能とｆθ特性を有する第３の光学系としてのｆθレンズ系（結像光学系）であり、プラスチック材料より成る第１、第２の２枚のトーリックレンズ（結像光学素子）６，７より成り、光偏向器５によって反射偏向された主走査断面内で略平行な画像情報に基づく光束を被走査面としての感光ドラム面８上に結像させ、かつ副走査断面内において光偏向器５の偏向面５ａと感光ドラム面８との間を共役関係にすることにより、倒れ補正機能を有している。
【手続補正３１】
【補正対象書類名】明細書
【補正対象項目名】００４８
【補正方法】変更
【補正の内容】
【００４８】
第１のトーリックレンズ６は主走査断面内において両レンズ面（偏向手段側のレンズ面及び被走査面側のレンズ面）が非球面形状より形成され、そのレンズの主走査方向の対称軸（対称軸上）Ｑ近傍において光偏向器５側に凹面を向けた正の屈折力を有するメニスカス状より成っている。